(57)【特許請求の範囲】
【請求項１】
給湯器と、該給湯器に備えられその運転を制御する給湯運転制御手段と、該給湯器から供給される湯水の温度を設定する温度設定手段を備え該給湯運転制御手段を遠隔操作する遠隔操作装置と、該給湯器に給湯路を介して接続され該給湯器から給湯された湯水によって食器類を洗浄する食器洗浄装置とからなる食器洗浄システムにおいて、
前記遠隔操作装置は、ＯＮされた状態のときに該給湯器の作動を可能とする運転スイッチと、前記食器洗浄装置と直接または前記給湯運転制御手段を介して運転情報を送受信する通信手段と、該食器洗浄装置の運転開始時刻を予約し、該運転開始時刻に該運転スイッチがＯＮされた状態として、前記給湯運転制御手段に給湯運転開始信号を出力すると共に該通信手段を介して該食器洗浄装置に洗浄運転開始信号を出力する予約手段とを備えることを特徴とする食器洗浄システム。
【請求項２】
前記予約手段は、時刻を計る時計と、前記食器洗浄装置の運転開始時刻を設定する時刻設定手段と、該時刻設定手段に設定された時刻を該時計により計時される時刻と比較して運転開始時刻に達したときに前記運転スイッチがＯＮされた状態として両運転開始信号を出力する予約制御手段とを備えることを特徴とする請求項１記載の食器洗浄システム。
【請求項３】
前記遠隔操作装置は、前記食器洗浄装置と直接運転情報を送受信する通信手段を備え、前記洗浄運転開始信号を出力したときまたは前記食器洗浄装置から前記通信手段を介して運転情報を受けたときに、該洗浄運転開始信号または運転情報に基づいて前記温度設定手段により設定された温度を食器洗浄に適した温度に変更する設定温度変更手段を備えることを特徴とする請求項１または請求項２記載の食器洗浄システム。
【請求項４】
前記遠隔操作装置は、前記給湯運転制御手段を介して前記食器洗浄装置と運転情報を送受信する通信手段を備え、前記給湯運転制御手段は、前記遠隔操作装置から前記洗浄運転開始信号を受けたときまたは前記食器洗浄装置から前記通信手段を介して運転情報を受けたときに、該洗浄運転開始信号または運転情報に基づいて前記温度設定手段により設定された温度を食器洗浄に適した温度に変更する設定温度変更手段を備えることを特徴とする請求項１または請求項２記載の食器洗浄システム。
【発明の詳細な説明】
【０００１】
【発明の属する技術分野】
本発明は、給湯器と食器洗浄装置とが給湯路を介して接続されてなる食器洗浄システムに関するものである。
【０００２】
【従来の技術】
通常、食器洗浄装置は、食器を収容する洗浄室内に所定量の湯水を貯留する貯留槽を備えており、前記貯留槽に貯留された湯水を洗浄ポンプによってノズルに供給し、該ノズルから食器に向かって噴出させることにより洗浄を行う。このとき、前記湯水は前記貯留槽内で洗剤が投入されることにより洗浄液とされるが、該洗浄液は洗浄効率を向上させるために適した６０℃程度の温度に加熱されていることが好ましい。そこで、従来の食器洗浄装置は、前記貯留槽にヒータを設け貯留槽内の湯水を前記洗浄に適した温度に加熱すると共に、該温度に保持するようになっている。
【０００３】
また、近年では、前記食器洗浄装置を、浴槽や台所の流し台等に給湯する給湯器に給湯路を介して接続した食器洗浄システムが知られている。前記食器洗浄システムは、前記給湯路に前記食器洗浄装置の運転開始と同時に開弁されて前記貯留槽に湯水を供給する給湯弁を設け、該給湯弁が開弁されて該給湯路に通水されると、前記給湯器が水流センサ等により該通水を検出して給湯運転を開始するものである。前記給湯器は、一般に通信手段を備える遠隔操作装置により遠隔操作できるようになっており、前記遠隔操作装置は、前記通水が検出されたときに前記給湯器の加熱装置を作動可能とする状態をオンとし、給湯が不要な場合に前記加熱装置を作動不能とする状態をオフとして切り替え自在の運転スイッチと、オン状態のときに供給される湯水の温度を設定する温度設定手段とを備えている。
【０００４】
このような給湯システムでは、前記遠隔操作装置をオン状態にして前記給湯器の加熱装置を作動可能としておくと共に、供給される湯水の温度を前記洗浄に適した温度に設定しておくことにより、前記食器洗浄装置の運転が開始されて前記給湯弁が開弁されると、前記温度の湯水が前記貯留槽に供給される。従って、前記ヒータによる加熱時間を大幅に低減することができる。
【０００５】
また、従来の食器洗浄装置では、運転開始時刻を設定することにより、予約運転を行えるようにしたものが知られている。このような食器洗浄装置によれば、所望の時刻に運転することができるので、例えば、夕食後に食器を洗浄室に収容して運転開始時刻を夜間に設定しておけば、就寝中に前記食器が洗浄され、翌朝には洗浄された食器を用いることができ便利である。
【０００６】
ところで、前記食器洗浄システムに前記予約運転が行える食器洗浄装置を用いたときに、予約運転の開始時に前記給湯器から前記洗浄に適した温度の湯水が供給されるようにするためには、前記遠隔操作装置を予めオン状態にして前記給湯器の加熱装置を作動可能としておくと共に、供給される湯水の温度を前記洗浄温度に設定しておく必要がある。
【０００７】
しかしながら、就寝後も前記遠隔操作装置をオン状態にして前記給湯器の加熱装置を作動可能としておくことは、使用者にとって心理的に抵抗がある。また、前記給湯器の加熱装置が作動可能な状態にされていても、供給される湯水の温度が適切な洗浄温度に設定されていないと、前記ヒータによる加熱時間及び加熱に要するエネルギを低減する効果が十分に得られないという不都合もある。
【０００８】
【発明が解決しようとする課題】
本発明は、かかる不都合を解消して、使用者が就寝中にも安心して食器洗浄装置の予約運転を行うことができ、しかも食器洗浄装置の予約運転時に食器洗浄に適した温度に設定された湯水を供給することができる食器洗浄システムを提供することを目的とする。
【０００９】
【課題を解決するための手段】
かかる目的を達成するために、本発明の食器洗浄システムは、給湯器と、該給湯器に備えられその運転を制御する給湯運転制御手段と、該給湯器から供給される湯水の温度を設定する温度設定手段を備え該給湯運転制御手段を遠隔操作する遠隔操作装置と、該給湯器に給湯路を介して接続され該給湯器から給湯された湯水によって食器類を洗浄する食器洗浄装置とからなる食器洗浄システムにおいて、前記遠隔操作装置は、ＯＮされた状態のときに該給湯器の作動を可能とする運転スイッチと、前記食器洗浄装置と直接または前記給湯運転制御手段を介して運転情報を送受信する通信手段と、該食器洗浄装置の運転開始時刻を予約し、該運転開始時刻に該運転スイッチがＯＮされた状態として、前記給湯運転制御手段に給湯運転開始信号を出力すると共に該通信手段を介して該食器洗浄装置に洗浄運転開始信号を出力する予約手段とを備えることを特徴とする。
【００１１】
本発明の食器洗浄システムでは、前記食器洗浄装置の予約を行うときには、前記予約手段により前記食器洗浄装置の運転開始時刻を予約する。そして、予約された運転開始時刻になると、前記予約手段が運転スイッチがＯＮされた状態にすると共に、前記給湯器の給湯運転制御手段に給湯運転開始信号を出力する。また、これと同時に、前記食器洗浄装置に洗浄運転開始信号を出力する。
この結果、本発明の食器洗浄システムでは、前記食器洗浄装置が運転を開始すると同時に、前記予約手段により前記給湯器の加熱装置が作動可能な状態にされ、前記給湯器は前記食器の洗浄に適した温度の湯水を供給する給湯運転を開始する。
【００１２】
従って、予め前記給湯器を作動可能な状態にしておく必要がなく、就寝後にも安心して前記食器洗浄装置の予約運転を行うことができる。しかも、前記予約により前記食器洗浄装置が運転を開始するときには、前記食器洗浄装置の洗浄に適した温度の湯水を前記給湯器から該食器洗浄装置に供給することができる。
【００１３】
また、本発明の食器洗浄システムでは、前記予約手段は、時刻を計る時計と、前記食器洗浄装置の運転開始時刻を設定する時刻設定手段と、該時刻設定手段に設定された時刻を該時計により計時される時刻と比較して運転開始時刻に達したときに前記運転スイッチがＯＮされた状態として両運転開始信号を出力する予約制御手段とを備えることを特徴とする。
【００１４】
前記構成の予約手段によれば、前記予約制御手段は、前記時刻設定手段により前記食器洗浄装置の運転開始時刻が設定されると、時々刻々、該運転開始時刻を前記時計により計時される時刻と比較する。そして、前記時計により計時される時刻が、前記時刻設定手段により設定された運転開始時刻に達すると、前記予約制御手段が前記運転スイッチがＯＮされた状態として給湯器の運転制御手段に給湯運転開始信号を出力すると同時に、前記食器洗浄装置に洗浄運転開始信号を出力する。
【００１５】
前記食器洗浄システムでは、前記給湯器は前記温度設定手段により設定された温度の湯水を供給するが、前記食器洗浄装置の予約を行う際に使用者が食器洗浄のための給湯温度の設定を失念したり、誤設定して洗浄に適した温度が設定されていない場合がある。そこで、本発明の食器洗浄システムでは、前記遠隔操作装置は、前記食器洗浄装置と直接運転情報を送受信する通信手段を備え、前記洗浄運転開始信号を出力したときまたは前記食器洗浄装置から前記通信手段を介して運転情報を受けたときに、該洗浄運転開始信号または運転情報に基づいて前記温度設定手段により設定された温度を食器洗浄に適した温度に変更する設定温度変更手段を備えることを特徴とする。あるいは、前記遠隔操作装置は、前記給湯運転制御手段を介して前記食器洗浄装置と運転情報を送受信する通信手段を備え、前記給湯運転制御手段は、前記遠隔操作装置から前記洗浄運転開始信号を受けたときまたは前記食器洗浄装置から前記通信手段を介して運転情報を受けたときに、該洗浄運転開始信号または運転情報に基づいて前記温度設定手段により設定された温度を食器洗浄に適した温度に変更する設定温度変更手段を備えることを特徴とする。
【００１７】
前記構成の食器洗浄システムによれば、前記給湯運転制御手段が前記設定温度変更手段を備えているので、前記予約された運転開始時刻になると、該設定温度変更手段により設定された温度が変更され、それ以前に設定されている温度に係わらず、前記給湯器から前記食器洗浄装置に前記食器の洗浄に適した温度の湯水を供給することができる。
【００１８】
また、本発明の食器洗浄システムでは、遠隔操作装置が前記食器洗浄装置と直接運転情報を送受信する通信手段を備えるときには、前記設定温度変更手段が該遠隔操作装置に設けられている。また、前記遠隔操作装置が前記給湯運転制御手段を介して前記食器洗浄装置と運転情報を送受信する通信手段を備えるときには、前記設定温度変更手段が前記給湯運転制御手段に設けられている。このようにすることにより、前記遠隔操作装置と該給湯運転制御手段との間で、前記設定温度変更手段を作動させるための情報を送受信する必要が無く、この部分での通信量を低減することができる。
【００１９】
【発明の実施の形態】
次に、添付の図面を参照しながら本発明の実施の形態についてさらに詳しく説明する。
図１は本発明の第１の態様の食器洗浄システムの一実施形態を示すシステム構成図であり、図２は図１示の食器洗浄システムの制御系統を示すブロック図であり、図３は本発明の第１の態様の食器洗浄システムの他の実施形態を示すシステム構成図であり、図４は図３示の食器洗浄システムの制御系統を示すブロック図である。
【００２０】
まず、図１及び図２を参照して、本発明の食器洗浄システムの一実施形態について説明する。
【００２１】
図１示の食器洗浄システムＡにおいて、給湯器は給湯器本体１と給湯器本体１のリモコンである遠隔操作装置２とからなり、３は台所に設置された食器洗浄装置、４は浴槽５に設けられたシャワー等の給湯栓である。
【００２２】
前記給湯器本体１は台所から離れた位置、例えば住宅の外壁面等に設置されており、給湯運転制御手段６によって制御される加熱装置７を備え、加熱装置７はガス管８から供給されるガスを燃焼させるガスバーナ９と、該ガスバーナ９の燃焼により、給水管１０から供給される水を加熱する熱交換器１１とを備えている。給水管１０の末端部は、給湯器本体１内で、台所に向かって延設された主給湯路１２と、浴槽５に接続されて湯張りを行う湯張り管１３とに分岐しており、主給湯路１２は途中でさらに食器洗浄装置３に接続する第１給湯路１４と、浴槽５の給湯栓４に接続する第２給湯路１５とに分岐している。
【００２３】
湯張り管１３に備えられた開閉弁１６は、前記加熱装置７と共に給湯運転制御手段６によって制御されるようになっており、給湯運転制御手段６は遠隔操作装置２との間に、両者間で給湯温度等の運転情報の送受信を行う遠隔操作用通信手段１７を備えている。
【００２４】
そして、給湯器本体１は前記食器洗浄装置３や前記浴槽５に対する給湯のために給水管１０に通水されると、給湯運転制御手段６が該通水により生じる水流を水流センサＳにより検知し、給水管１０から供給される水を加熱装置７により所望の温度に加熱して、所謂先止め式の給湯を行うようになっている。
【００２５】
前記遠隔操作装置２は、前記給水管１０の通水が検出されたときに給湯器本体１の加熱装置７を作動可能とする状態をオンとし、給湯が不要な場合に加熱装置７を作動不能とする状態をオフとして切り替え自在の給湯運転スイッチ１８と、給湯運転スイッチ１８がオン状態のときにさらに浴槽５に対する自動湯張り機能をオンオフする自動湯張りスイッチ１９と、食器洗浄装置３の運転開始時刻または浴槽５に対する湯張り運転の運転開始時刻を設定する図２示の予約手段２０とを備えている。また、遠隔操作装置２において、２１は給湯器本体１から主給湯路１２に供給される湯水の温度を設定する給湯温度設定手段、２２は湯張り管１３を介して浴槽５に供給される湯水の温度を設定する湯張り温度設定手段、２３は食器洗浄装置３に対する予約機能をオンオフする食器洗浄予約スイッチ、２４は浴槽５に対する湯張り予約機能をオンオフする湯張り予約スイッチ、２５は食器洗浄装置３の運転開始時刻を設定する食器洗浄時刻設定手段、２６は浴槽５に対する湯張り運転の運転開始時刻を設定する湯張り時刻設定手段であり、給湯温度設定手段２１及び湯張り温度設定手段２２は設定された温度を、食器洗浄時刻設定手段２５及び湯張り時刻設定手段２６は設定された時刻を表示できるようになっている。尚、２７は図２示のクロック２８により計時される現在の時刻を表示する現在時刻表示装置である。
【００２６】
前記予約手段２０は、食器洗浄装置３の運転または浴槽５に対する湯張り運転を予約設定するもので、図２示のように、計時手段としてのクロック２８と、食器洗浄予約スイッチ２３、湯張り予約スイッチ２４、食器洗浄時刻設定手段２５、湯張り時刻設定手段２６と、クロック２８、前記各スイッチ及び各手段に接続された予約制御手段４２と、給湯温度設定手段２１により設定されている温度を食器洗浄装置３の運転開始時刻に前記食器洗浄に適した温度に変更する設定温度変更手段４３とを備えている。前記予約制御手段４２は、給湯運転スイッチ１８、自動湯張りスイッチ１９、湯張り温度設定手段２２に接続されており、さらに設定温度変更手段４３を介して給湯温度設定手段２１に接続されている。
【００２７】
また、遠隔操作装置２は、食器洗浄装置３と給湯温度等の運転情報の送受信を行う第１通信手段２９を備え、第１通信手段２９は遠隔操作装置２と食器洗浄装置３とを直接に接続している。
【００２８】
前記食器洗浄装置３は、洗浄する食器類Ｗを収容し且つ洗浄を行う食器洗浄室３０を備え、食器洗浄室３０には開閉自在の給湯弁３１を介して前記第１給湯路１４に接続された給湯管３２から湯水が給湯される。前記食器洗浄室３０の下部には、給湯管３２を介して供給された湯を一時的に貯留しておく貯留槽３３が設けられており、洗剤を用いて食器洗浄装置３を運転するときには、該貯留槽３３に貯留された湯に、図示しない洗剤投入手段によって洗剤が投入されて洗浄液とされる。また、貯留槽３３はヒータ３４を備え、貯留された湯水の温度が洗浄に適した温度より低い場合には、該ヒータ３４により湯水を再加熱し前記洗浄に適した温度に保持するようになっている。
【００２９】
貯留槽３３の下部には、残菜フィルタ３５を介して濾過された洗浄液を、食器洗浄室３０に配設された散水チューブ３６に送り出す洗浄ポンプ３７が接続されている。該散水チューブ３６は、洗浄液を食器類Ｗに向かって噴射する複数の噴射ノズル（図示せず）を備えている。更に、前記貯留槽３３の下部には、排出ポンプ３８及び排出管３９が接続されている。
【００３０】
食器洗浄装置３は、給湯弁３１、ヒータ３４、洗浄ポンプ３７及び排出ポンプ３８に接続された食器洗浄制御手段４０によって制御されるようになっており、食器洗浄制御手段４０は食器洗浄運転スイッチ４１を備えると共に、第１通信手段２９が接続されて遠隔操作装置２との間で運転情報の送受信を行うようになっている。
【００３１】
次に、食器洗浄システムＡにおける食器洗浄装置３の作動について説明する。
【００３２】
まず、予約によらずに、食器洗浄装置３の運転を行うときには、遠隔操作装置２の給湯運転スイッチ１８をオンにして前記給水管１０の通水が検出されたときに給湯器本体１の加熱装置７が作動可能な状態にする。次いで、食器洗浄装置３の食器洗浄制御手段４０に備えられた食器洗浄運転スイッチ４１をオンにすると、食器洗浄制御手段４０により給湯弁３１が開弁されて主給湯路１２及び第１給湯路１４に通水され、該通水により生じる水流を給湯運転制御手段６が水流センサＳにより検知することにより加熱装置７が作動され、給湯器本体１の給湯運転が開始される。
【００３３】
このとき、給湯運転制御手段６には、食器洗浄装置３から第１通信手段２９及び遠隔操作用通信手段１７を介して運転情報が送信されているので、給湯運転制御手段６は該運転情報に基づいて加熱装置７を制御し、給湯温度を食器の洗浄に適した温度となるようにする。この結果、食器洗浄装置３の貯留槽３３には、給湯管３２を介して食器洗浄に適した温度、例えば６０℃の温度の湯水が供給される。
【００３４】
次に、食器洗浄制御手段４０は図示しない水量センサにより貯留槽３３に供給された水量を検出し、所定の水量に達すると給湯弁３１を閉弁して主給湯路１２及び第１給湯路１４の通水を停止させる。すると、給湯運転制御手段６は、前記通水の停止を水流センサＳにより検知して、加熱装置７を停止する。
【００３５】
次に、食器洗浄制御手段４０は、図示しない洗剤投入手段によって貯留槽３３に洗剤を投入して貯留槽３３の湯水を洗浄液とすると共に、洗浄ポンプ３７を作動させ、散水チューブ３６に備えられた図示しない噴射ノズルから該洗浄液を食器類Ｗに向かって噴射して洗浄を行う。前記洗浄液は残菜フィルタ３５を介して濾過されることにより、繰り返し前記洗浄に使用される。前記のように洗浄液を繰り返し使用すると、その温度が次第に低下するので、食器洗浄制御手段４０は必要に応じてヒータ３４を作動させて前記洗浄液を再加熱し、洗浄液の温度を前記洗浄に適した温度に保持する。
【００３６】
そして、所定の洗浄が終了すると、食器洗浄制御手段４０は洗浄ポンプ３７を停止させると共に、排出ポンプ３８を作動させ、貯留槽３３内の洗浄液を排出管３９から排出する。
【００３７】
次に、予約により食器洗浄装置３の運転を行うときには、まず、遠隔操作装置２の食器洗浄予約スイッチ２３をオンにして、予約手段２０を作動させる。
【００３８】
前記予約手段２０が作動したならば、次に、食器洗浄時刻設定手段２５により食器洗浄装置３の運転開始時刻を所望の時刻に設定する。前記設定が行われると、予約制御手段４２は食器洗浄時刻設定手段２５に設定された時刻とクロック２８により計時される現在の時刻とを時々刻々比較して、食器洗浄時刻設定手段２５に設定された時刻がクロック２８の時刻と一致すると、運転開始時刻に達したものとして、給湯運転スイッチ１８がオンされた状態にする。そして、遠隔操作用通信手段１７を介して給湯運転制御手段６に給湯運転開始信号を出力すると共に、第１通信手段２９を介して食器洗浄装置３の洗浄制御手段４０に洗浄運転開始信号を出力する。尚、前記給湯運転開始信号が出力されたときに、既に給湯運転スイッチ１８がオン状態になっていて、給湯運転制御手段６が給湯可能な状態となっているときには、前記給湯運転開始信号に係わらず前記給湯運転が継続可能とされる。
【００３９】
洗浄制御手段４０は、前記運転開始信号が入力されると、第１通信手段２９を介して設定温度変更手段４３に食器洗浄運転スイッチ４１がオンにされたことを運転情報として出力する。食器洗浄装置３に対する給湯温度は、運転開始時刻の設定と共に、給湯温度設定手段２１により設定するようにしてもよいが、使用者が給湯温度の設定を失念したり、誤設定することにより、或いは第２給湯路１５等に対する給湯のために、食器洗浄装置３での食器洗浄に不適切な温度になっていることがある。そこで、設定温度変更手段４３は、食器洗浄装置３に対する給湯温度が不適切であるときに、これを食器洗浄に適した温度に変更する。尚、遠隔操作装置２は、給湯温度設定手段２１による設定が適切であるときには、設定温度変更手段４３の作動に係わらず該設定を維持する。
【００４０】
この結果、前記予約によらない場合と同様に、食器洗浄装置３の食器洗浄制御手段４０により給湯弁３１が開弁されて主給湯路１２及び第１給湯路１４に通水され、該通水により生じる水流を給湯運転制御手段６が水流センサＳにより検知することにより加熱装置７が作動され、給湯器本体１の給湯運転が開始される。そして、給湯器本体１から食器洗浄に適した温度の湯水が供給される。
【００４１】
尚、前記食器洗浄システムＡでは、設定温度変更手段４３は食器洗浄制御手段４０から出力された食器洗浄装置３の運転情報を受けて作動するようになっているが、予約制御手段４２が洗浄運転開始信号を出力したときに作動するようにしてもよい。
【００４２】
次に、図３及び図４を参照して、本発明の食器洗浄システムの他の実施形態について説明する。
【００４３】
本実施形態の食器洗浄システムＢは、図３及び図４に示す様に、図１及び図２示の第１通信手段２９を設けずに、給湯運転制御手段６と食器洗浄制御手段４０とを接続する第２通信手段４４を設け、遠隔操作装置２と食器洗浄装置３との間の運転情報の送受信を給湯器本体１の給湯運転制御手段６を介して行うようになっている。そして、食器洗浄システムＢでは、遠隔操作装置２の予約手段２０に設定温度変更手段４３を設けずに、給湯器本体１の給湯運転制御手段６に設定温度変更手段４３が設けられている。本実施形態の食器洗浄システムＢは、前記以外は図１及び図２示の食器洗浄システムＡと全く同一の構成であるので、同一構成には同一の符号を付して説明を省略する。
【００４４】
本実施形態の食器洗浄システムＢにおいて、予約を行わずに食器洗浄装置３の運転を行うときの作動は図１及び図２示の食器洗浄システムＡと全く同一であるので、食器洗浄装置３の運転を予約により行うときについてのみ説明する。
【００４５】
予約により食器洗浄装置３の運転を行うときには、食器洗浄システムＡの場合と同様に、まず、遠隔操作装置２の食器洗浄予約スイッチ２３をオンにして予約手段２０を作動させ、食器洗浄時刻設定手段２５により食器洗浄装置３の運転開始時刻を所望の時刻に設定する。
【００４６】
前記設定が行われると、予約制御手段４２は、前記食器洗浄システムＡの場合と同一の作動により運転開始時刻を検出し、該運転時刻に達すると、給湯運転スイッチ１８がオンされた状態にし、遠隔操作用通信手段１７を介して給湯運転制御手段６に給湯運転開始信号を出力すると共に、給湯運転制御手段６を経由して第２通信手段４４を介して食器洗浄装置３の食器洗浄制御手段４０に洗浄運転開始信号を出力する。尚、前記給湯運転開始信号が出力されたときに、既に給湯運転スイッチ１８がオン状態になっていて、給湯運転制御手段６が給湯が可能な状態となっているときには、前記給湯運転開始信号に係わらず前記給湯運転が継続可能とされる。
【００４７】
食器洗浄制御手段４０は、前記洗浄運転開始信号が入力されると、食器洗浄運転スイッチ４１をオンにすると共に、第２通信手段４４を介して、給湯運転制御手段６の設定温度変更手段４３に食器洗浄運転スイッチ４１がオンにされたことを運転情報として出力する。この結果、設定温度変更手段４３は、食器洗浄装置３に対する給湯温度が前述のように不適切であるときには、これを食器洗浄に適した温度に変更する。尚、遠隔操作装置２は、給湯温度設定手段２１による設定が適切であるときには、設定温度変更手段４３の作動に係わらず該設定を維持する。
【００４８】
この結果、前記予約によらない場合と同様に、食器洗浄装置３の食器洗浄制御手段４０により給湯弁３１が開弁され、加熱装置７が作動されて、給湯器本体１の給湯運転が開始される。そして、給湯器本体１から食器洗浄装置３に、食器洗浄に適した温度の湯水が供給される。
【００４９】
尚、前記食器洗浄システムＢでは、設定温度変更手段４３は食器洗浄制御手段４０から出力された食器洗浄装置３の運転情報を受けて作動するようになっているが、予約制御手段４２から出力された洗浄運転開始信号を受けて作動するようにしてもよい。
【図面の簡単な説明】
【図１】  本発明の食器洗浄システムの一実施形態を示すシステム構成図。
【図２】  図１示の食器洗浄システムの制御系統を示すブロック図。
【図３】  本発明の食器洗浄システムの他の実施形態を示すシステム構成図。
【図４】  図３示の食器洗浄システムの制御系統を示すブロック図。
【符号の説明】
１…給湯器、 ２…遠隔操作装置、 ３…食器洗浄装置、 ６…給湯運転制御手段、 ２５…時刻設定手段、 ２８…時計、 ２９，４４…通信手段、４２…予約制御手段、 ４３…設定温度変更手段。
【図１】
0003739535.tif 000002
【図２】
0003739535.tif 000003
【図３】
0003739535.tif 000004
【図４】
0003739535.tif 000005